(57)【要約】【課題】本発明は、発泡剤の作用による浮上と、液体の浸入と錘の重さによる沈降との動作中に、発光灯を輝光させる意外性と面白さとを兼ね備えた浮沈発光玩具を提供する。【解決手段】本願玩具１は、発泡剤３の発泡時に生ずる発泡気体を保留して浮上し、液面に至って保留気体と入れ替った液体の浸入と錘１１の重さと相まって沈降するケーシング２内に、電源１４と発光灯１５とを液体を媒介して導通できる接点１６ａ、１６ｂを持つ発光ユニット４を収容したことを特徴とし、ケーシング２内に浸入した液体で通電して輝光し、その光がケーシング２を透して遊戯者に目視できるように構成している。【選択図】図１
2006026031.tif 000002
【特許請求の範囲】
【請求項１】
発泡剤の発泡時に生ずる発泡気体を保留して浮上し、液面に至って保留気体と入れ替った液体の浸入と錘の重さと相まって沈降するケーシング内に、電源と発光灯とを液体を媒介して導通できる接点を持つ発光ユニットを収容したことを特徴とする浮沈発光玩具。
【請求項２】
前記ケーシングが、２つ割り可能になっていることを特徴とする請求項１に記載の浮沈発光玩具。
【請求項３】
前記発光ユニットが、発光灯を点滅発光させる回路を備えていることを特徴とする請求項１又は２に記載の浮沈発光玩具。
【発明の詳細な説明】
【技術分野】
【０００１】
本発明は、発泡剤の作用による浮上と、液体の浸入と錘の重さによる沈降とを、発光灯を輝光させながら行うことができるようにした浮沈発光玩具に関するものである。
【背景技術】
【０００２】
従来、液体に触れて発泡剤が発泡し、その発泡気体を保留することによって生ずる浮力で浮上し、液面に至って保留液体と入れ替りに液体を浸入させ錘の重さと相まって沈降させるように構成した水中浮沈玩具、例えば、実開昭６２−９０６９９号公報があった。また、水溶性の粉末原料を固め、その中に液体の媒介により電源回路が閉じるようにした発光灯を備えた浮遊性遊戯体を装填し、水中で粉末原料の固まりが溶けると、中から浮遊性遊戯体内が発光灯を輝光させながら浮上するというおもちゃ、例えば、実用新案登録第３０９９９８３号公報があった。
【特許文献１】実開昭６２−９０６９９号公報
【特許文献２】実用新案登録第３０９９９８３号公報
【発明の開示】
【発明が解決しようとする課題】
【０００３】
しかしながら、前者（実開昭６２−９０６９９号公報）は、発泡剤の発泡時に生ずる発泡気体を保留して浮上させ、液面に至って保留気体と入れ替りに液体を浸入させて錘の重さと相まって沈降させるだけのもので、浮上及び沈降の切り替え時に頭部が保留気体と液体とを入れ替えるために一定のアクションを起こすのみで面白さに欠けていた。また、後者（実用新案登録第３０９９９８３号公報）は固めた水溶性の粉末原料（例えば固形入浴剤）が水中で溶けると浮遊性遊戯体が飛び出し発光しつつ浮上する意外性はあるものの、浮遊性遊戯体は浮上するのみで自ら沈降できず、継続的に遊べるものではなかった。
【０００４】
本発明は、上記問題を解消するためのもので、その目的とするところは、発泡剤の作用による浮上と、液体の浸入と錘の重さによる沈降との動作中に、発光灯を輝光させる意外性と面白さとを兼ね備えた浮沈発光玩具を提供することにある。
【課題を解決するための手段】
【０００５】
上記の目的を達成するため、本発明は、発泡剤の発泡時に生ずる発泡気体を保留して浮上し、液面に至って保留気体と入れ替った液体の浸入と錘の重さと相まって沈降するケーシング内に、電源と発光灯とを液体を媒介して導通できる接点を持つ発光ユニットを収容したことを特徴とし、ケーシング内に浸入した液体で通電して輝光するように構成している。
【０００６】
また、請求項２に記載の発明は、前記ケーシングが、２つ割り可能になっていることを特徴とし、発泡剤や発光ユニットの交換等が容易になるように構成している。
【０００７】
さらに、請求項３に記載の発明は、前記発光ユニットが、発光灯を点滅発光させる回路を備えていることを特徴とし、緊急指令に基づいて浮沈動作しているような臨場感が得られるように構成している。
【発明の効果】
【０００８】
本発明によれば、ケーシングが発泡剤の発泡時に生ずる発泡気体を保留して浮上し、液面に至って保留気体と入れ替りに液体を浸入させて錘の重さと相まって沈降するに際し、ケーシング内に浸入した液体を媒介して発光灯の電源回路が閉じられるから、潜水艦や種々キャラクタを模したケーシングの浮沈動作中に輝光が生ずるという意外性や面白さが醸成されるなどの優れた効果を奏するものである。
【０００９】
また、請求項２に記載の発明によれば、前記ケーシングが、発泡剤や発光ユニットの交換等のために２つ割り可能になっているため、発泡形態や色の異なる発泡剤、あるいは輝光状態の異なる発光ユニットを遊戯者の好みに応じて随時交換して遊ぶことができるという優れた効果を奏するものである。
【００１０】
さらに、請求項３に記載の発明によれば、風呂内において、緊急指令に基づいて潜水艦や種々キャラクタを模したケーシングが浮沈動作しているような臨場感を受けつつ興味を持って面白く遊ぶことができるという優れた効果を奏するものである。
【発明を実施するための最良の形態】
【００１１】
次に、本発明の最良の形態を図面に基づいて説明する。図１は本願玩具の外観斜視図、図２は本願玩具の分解斜視図、図３は本願玩具の動作を示す図で、（ａ）は浮上により液面に至って液体が保留気体と入れ替るように浸入してきた状態（沈降開始直前）、（ｂ）は沈降により発泡剤の発泡時に生じた発泡気体を保留している状態（浮上開始直前）である。
【００１２】
本願玩具１は、図１の如く、透明又は着色透明（光透過性）のケーシング２の内部に、発泡剤３と発光ユニット４を収容した光透過性の容器５が設置されている。前記ケーシング２は図示の例では水平（上下）方向に２つ割り、すなわち、上半球体２ａと下半球体２ｂに分割可能になっているが、縦（前後）方向に２つ割りになっていてもよい。割り線も真２つでなくても片寄っていてもよい。また、ケーシング２の形状は、図示の例では球体になっているが、もちろん立方体でも円筒体でもその他でもよいし、特定の形状、例えば潜水艦や特定のキャラクタを模したものでもよいことは勿論である。
【００１３】
前記ケーシング２の上半球体２ａと下半球体２ｂとは互いにきつく雌雄結合できるようになっている。そして、下半球体２ｂには複数個（具体的個数は問わない）の液体導入穴６が設けられ、上半球体２ａにはケーシングに浮力を生じさせるに必要な体積を持つ気体保留部７が設けられているとともに、該気体保留部７を避けた位置に気体排出穴８が設けられている。該気体排出穴８は大きさにもよるが１個あれば足りる。
【００１４】
前記発泡剤３と発光ユニット４を収容した光透過性の容器５は、図２の如く、発光ユニット４を収容するための上体９ａと下体９ｂとからなる密閉室９と、その上体９ａの外頂面に設けた発泡剤３の収容室１０と、前記下体９ｂの底部に錘１１の収容室１２とを設けている。前記発泡剤収容室１０は通水及び通気のための透孔を有する透孔壁１０ａと透孔蓋１０ｂとからなる。
【００１５】
前記発泡剤３は、重炭酸ナトリウム（重曹）、硫酸ナトリウム（芒硝）などからなる固形入浴剤（風呂中で使用する場合）を用いて満足できる。前記発泡剤収容室１０内の発泡剤３は透孔壁１０ａ及び透孔蓋１０ｂを通って浸入してきた液体（風呂中では湯）に触れて発泡し気体を発生させる。該発生した気体はまた透孔壁１０ａ及び透孔蓋１０ｂを通って前記ケーシング２内の気体保留部７に保留され、ケーシング２に浮力を付与することとなる。
【００１６】
前記発光ユニット４は、基板１３上に設置した電源１４と発光灯１５と、これらを開閉させる接点１６ａ、１６ｂとからなる。該基板１３は前記密閉室９の下体９ｂに防水が確保される状態でビス１７により固定されている。また、前記接点１６ａ、１６ｂは前記密閉室９の上体９ａの外頂面の適所（離反した位置）に防水が確保される状態で露出しており、前記液体導入穴６からケーシング２内に導入された液体を導電媒体として発光灯１５の電源回路を閉成できるようになっている。この電源回路中には発光灯１５を点滅発光させる制御回路１８を介装し、緊急指令に基づいて潜水（沈降）あるいは浮上するような臨場感が得られるように構成することも可能である。
【００１７】
なお、前記発光灯１５は、単一１個とは限らないし、電球でも発光ダイオードでもよいことは勿論である。例えば、発光灯１５として、青色発光ダイオード、赤色発光ダイオード、緑色発光ダイオードなどを複数設置し、これらを所定の順番に輝光させるような制御回路を前記電源回路中に構成してもよい。
【００１８】
次に、本願玩具１の作用を、図３に基づいて説明する。まず、本願玩具１のケーシング２を上球体２ａを下球体２ｂから割って発泡剤３を収容室１０内に収容し、上球体２ａを下球体２ｂに再結合する。そして本願玩具１を、図３（ｂ）の如く、湯中に沈めると、液体導入穴６を通してケーシング２内に湯（液体）が浸入するから、前記収容室１０内の発泡剤３は透孔壁１０ａ及び透孔蓋１０ｂを通って湯に触れて発泡し気体を多量に発生させる。該気体は前記透孔壁１０ａ及び透孔蓋１０ｂを通って前記ケーシング２内の気体保留部７に保留（縦縞模様）され、ケーシング２に矢印Ａの如く浮力を付与する。
【００１９】
かくして、ケーシング２が浮上を開始し、経時的に、図３（ａ）の如く、湯面（液面）Ｗに至ると、気体保留部７を避けた位置に設けられている気体排出穴８が、上向きになって気体保留部７に保留されていた気体を大気中に排出させる。この気体の排出に伴って湯が入れ替わりにケーシング内に浸入し、ケーシング２の浮力を失わせる。したがって、ケーシング２は錘１１の重さにリード（先導）されて矢印Ｂの如く、沈降を開始する。
【００２０】
そして、ケーシング２の浮上及び沈降時、ケーシング２内に浸入した液体が導電媒体となって接点１６ａと１６ｂが電気的に導通するため、発光灯１５が電源１４からの給電により輝光する。この光は光透過性の容器５及びケーシング２を透過して遊戯者の目に達するため、遊戯者には大きな興味となる。この場合、発光灯１５が青色発光ダイオード、赤色発光ダイオード、緑色発光ダイオードなど複数設置され、一定の順番に輝光するようになっていたり、点滅発光するようになっているならば、より大きな興味が引かれることとなる。
【産業上の利用可能性】
【００２１】
本願玩具１は、発泡剤の作用による浮上と、液体の浸入と錘の重さによる沈降とを、発光灯を輝光させながら行うことができる玩具として、子供を風呂好きにするための風呂用玩具として有効であるなど利用可能性が高いものである。
【図面の簡単な説明】
【００２２】
【図１】本願玩具の外観斜視図である。
【図２】本願玩具の分解斜視図である。
【図３】本願玩具の動作を示す図で、（ａ）は浮上により液面に至って液体が保留気体と入れ替るように浸入してきた状態（沈降開始直前）、（ｂ）は沈降により発泡剤の発泡時に生じた発泡気体を保留している状態（浮上開始直前）である。
【符号の説明】
【００２３】
１  本願玩具
２  ケーシング
２ａ  上半球体
２ｂ  下半球体
３  発泡剤
４  発光ユニット
５  容器
６  液体導入穴
７  気体保留部
８  気体排出穴
９  密閉室
９ａ  上体
９ｂ  下体
１０  発泡剤収容室
１０ａ  透孔壁
１０ｂ  透孔蓋
１１  錘
１２  錘収容室
１３  基板
１４  電源
１５  発光灯
１６ａ、１６ｂ  接点
１７  ビス
１８  制御回路
【図１】
2006026031.tif 000003
【図２】
2006026031.tif 000004
【図３】
2006026031.tif 000005